(57)【要約】【課題】耐候性に優れた断熱屋根材と、その断熱屋根材の製造方法を実現する。【解決手段】この断熱屋根材１００であれば、屋根材本体１０に貼付されている断熱シート２０は、表面に露出しないように耐候性シート３０によって被覆されており、その断熱シート２０は劣化し難いように保護されているので、耐候性に優れた屋根材として好適に使用することができる。特に、断熱屋根材１０の連結部分に耐候性シート３０の端部が挟み込まれるようになっているので、その耐候性シート３０は屋根材本体１０から剥がれ難くなる。このように屋根材本体１０から剥がれ難い耐候性シート３０であれば、より好適に断熱シート２０を被覆して保護することができる。【選択図】図１
2020100971.tif 000002
【特許請求の範囲】
【請求項１】
長尺な矩形状の板材がその長手方向に沿う折り線にて折曲されてなる屋根材本体と、
前記板材よりも小さなサイズの長尺な矩形状を呈し、その周縁が前記屋根材本体の周縁よりも内側に位置するように前記屋根材本体に貼付される断熱シートと、
前記断熱シートよりも大きなサイズの長尺な矩形状を呈し、その周縁が前記断熱シートの周縁よりも外側に位置するように前記断熱シートに重ねて前記屋根材本体に貼付される耐候性シートと、
を備えたことを特徴とする断熱屋根材。
【請求項２】
複数の断熱屋根材を連結可能にするため、当該断熱屋根材の両端部には、前記屋根材本体と前記耐候性シートとが積層されている部分が前記板材の長手方向に沿う折り線にて折曲されて形成された連結部が設けられており、
隣り合う断熱屋根材を連結する場合、少なくとも一方の断熱屋根材の連結部における前記耐候性シートが他方の断熱屋根材の連結部との間に挟まれた状態で、互いの連結部が連結可能に構成されていることを特徴とする請求項１に記載の断熱屋根材。
【請求項３】
複数の断熱屋根材を連結可能にするため、当該断熱屋根材の両端部には、前記屋根材本体と前記耐候性シートとが積層されている部分が前記板材の長手方向に沿う折り線にて折曲されて形成された連結部が設けられており、
隣り合う断熱屋根材を連結する場合、一方の断熱屋根材の連結部における前記耐候性シートと、他方の断熱屋根材の連結部における前記耐候性シートが、所定の連結部材との間に挟まれた状態で、その連結部材を介して互いの連結部が連結可能に構成されていることを特徴とする請求項１に記載の断熱屋根材。
【請求項４】
前記断熱シートには、その長手方向と交差する向きの筋状に形成されている、他の部分よりも強度が弱い脆弱部が、シートの長手方向に所定間隔をあけて複数設けられていることを特徴とする請求項１〜３のいずれか一項に記載の断熱屋根材。
【請求項５】
前記耐候性シートには、その長手方向と交差する向きの筋状に形成されている、他の部分よりも強度が弱い脆弱部が、シートの長手方向に所定間隔をあけて複数設けられており、
前記耐候性シートの脆弱部は、前記断熱シートの脆弱部と重なる位置に設けられていることを特徴とする請求項４に記載の断熱屋根材。
【請求項６】
前記耐候性シートの脆弱部は、前記断熱シートの脆弱部と略同じ長さを有していることを特徴とする請求項５に記載の断熱屋根材。
【請求項７】
長尺な矩形状の板材に、その板材よりも小さなサイズの長尺な矩形状の断熱シートをその周縁を前記板材の周縁よりも内側に配するように貼付する工程と、
前記断熱シートよりも大きなサイズの長尺な矩形状の耐候性シートの周縁を前記断熱シートの周縁よりも外側に配するように、前記耐候性シートを前記断熱シートに重ねて前記板材に貼付する工程と、
所定の断熱屋根材の形状と同様な形状とするため、前記断熱シートと前記耐候性シートとが貼付されている前記板材をその長手方向に沿う折り線にて折曲する工程と、
を有する断熱屋根材の製造方法であって、
前記板材を折曲する工程にて、前記板材の両端側で前記板材と前記耐候性シートとが積層されている部分を前記板材の長手方向に沿う折り線にて折曲することで、隣り合う断熱屋根材を連結する際に、少なくとも一方の断熱屋根材の前記耐候性シートがその連結部分にて挟まれた状態になる連結部を形成することを特徴とする断熱屋根材の製造方法。
【請求項８】
前記断熱シートと前記耐候性シートにはそれぞれ、その長手方向と交差する向きの筋状に形成されている、他の部分よりも強度が弱い脆弱部が、シートの長手方向に所定間隔をあけて複数設けられており、
前記耐候性シートを貼付する工程においては、前記断熱シートの脆弱部に前記耐候性シートの脆弱部を重ねるように、前記耐候性シートを前記断熱シートに重ねて前記板材に貼付することを特徴とする請求項７に記載の断熱屋根材の製造方法。
【発明の詳細な説明】
【技術分野】
【０００１】
本発明は、折板などに用いる断熱屋根材と、その断熱屋根材の製造方法に関する。
【背景技術】
【０００２】
従来、金属性の屋根材の裏側に生じた結露が水滴となって滴下するのを抑制するため、屋根材の裏面に断熱シートを貼り付けた断熱屋根材が知られている（例えば、特許文献１参照。）。
【先行技術文献】
【特許文献】
【０００３】
【特許文献１】特開昭６１−２０７４２号公報
【発明の概要】
【発明が解決しようとする課題】
【０００４】
しかしながら、上記特許文献１の断熱屋根材を長期間に亘って使用した場合、経年劣化した断熱シートが屋根材から剥離してしまうことがある。
そして、剥離した断熱シートが天井側から垂れ下がってしまい、その下の通行の妨げになるという問題があった。
【０００５】
本発明の目的は、耐候性に優れた断熱屋根材と、その断熱屋根材の製造方法を提供することである。
【課題を解決するための手段】
【０００６】
上記目的を達成するため、本出願に係る一の発明である断熱屋根材は、
長尺な矩形状の板材がその長手方向に沿う折り線にて折曲されてなる屋根材本体と、
前記板材よりも小さなサイズの長尺な矩形状を呈し、その周縁が前記屋根材本体の周縁よりも内側に位置するように前記屋根材本体に貼付される断熱シートと、
前記断熱シートよりも大きなサイズの長尺な矩形状を呈し、その周縁が前記断熱シートの周縁よりも外側に位置するように前記断熱シートに重ねて前記屋根材本体に貼付される耐候性シートと、
を備えるようにした。
【０００７】
かかる構成の断熱屋根材であれば、屋根材本体に貼付されている断熱シートは、表面に露出しないように耐候性シートによって被覆されており、その断熱シートは劣化し難いように保護されているので、耐候性に優れた屋根材として好適に使用することができる。
【０００８】
また、望ましくは、
複数の断熱屋根材を連結可能にするため、当該断熱屋根材の両端部には、前記屋根材本体と前記耐候性シートとが積層されている部分が前記板材の長手方向に沿う折り線にて折曲されて形成された連結部が設けられており、
隣り合う断熱屋根材を連結する場合、少なくとも一方の断熱屋根材の連結部における前記耐候性シートが他方の断熱屋根材の連結部との間に挟まれた状態で、互いの連結部が連結可能に構成されているようにする。
【０００９】
断熱屋根材の連結部分に耐候性シートの端部が挟み込まれていれば、その耐候性シートは屋根材本体から剥がれ難くなる。このように屋根材本体から剥がれ難い耐候性シートであれば、好適に断熱シートを被覆して保護することができる。
【００１０】
また、望ましくは、
複数の断熱屋根材を連結可能にするため、当該断熱屋根材の両端部には、前記屋根材本体と前記耐候性シートとが積層されている部分が前記板材の長手方向に沿う折り線にて折曲されて形成された連結部が設けられており、
隣り合う断熱屋根材を連結する場合、一方の断熱屋根材の連結部における前記耐候性シートと、他方の断熱屋根材の連結部における前記耐候性シートが、所定の連結部材との間に挟まれた状態で、その連結部材を介して互いの連結部が連結可能に構成されているようにする。
【００１１】
断熱屋根材の連結部分に耐候性シートの端部が挟み込まれていれば、その耐候性シートは屋根材本体から剥がれ難くなる。このように屋根材本体から剥がれ難い耐候性シートであれば、好適に断熱シートを被覆して保護することができる。
【００１２】
また、望ましくは、
前記断熱シートには、その長手方向と交差する向きの筋状に形成されている、他の部分よりも強度が弱い脆弱部が、シートの長手方向に所定間隔をあけて複数設けられているようにする。
【００１３】
こうすることで、断熱シートに部分的な剥がれが生じても、断熱シートが脆弱部で破断されることで、その剥がれが伝播するのを防ぎ、断熱シートの剥がれを最小限に食い止めることができる。
【００１４】
また、望ましくは、
前記耐候性シートには、その長手方向と交差する向きの筋状に形成されている、他の部分よりも強度が弱い脆弱部が、シートの長手方向に所定間隔をあけて複数設けられており、
前記耐候性シートの脆弱部は、前記断熱シートの脆弱部と重なる位置に設けられているようにする。
【００１５】
こうすることで、断熱シートと耐候性シートとが屋根材本体から剥がれてしまうことがあっても、断熱シートと耐候性シートがそれぞれ脆弱部で破断されることで、断熱シートや耐候性シートが長い状態で垂れ下がることがないので、金属屋根の下の通行などに支障をきたすことはない。
【００１６】
また、望ましくは、
前記耐候性シートの脆弱部は、前記断熱シートの脆弱部と略同じ長さを有しているようにする。
【００１７】
耐候性シートの脆弱部の長さを、耐候性シートよりも小さなサイズの断熱シートの脆弱部と略同じ長さにすれば、耐候性シートの脆弱部の端が耐候性シートの端部に達していないようになる。
耐候性シートの端部に脆弱部の端が達していると、そこから耐候性シートが引き裂かれ易くなってしまうことがあるので、このような長さにすることが好ましい。
【００１８】
また、本出願に係る他の発明は、
長尺な矩形状の板材に、その板材よりも小さなサイズの長尺な矩形状の断熱シートをその周縁を前記板材の周縁よりも内側に配するように貼付する工程と、
前記断熱シートよりも大きなサイズの長尺な矩形状の耐候性シートの周縁を前記断熱シートの周縁よりも外側に配するように、前記耐候性シートを前記断熱シートに重ねて前記板材に貼付する工程と、
所定の断熱屋根材の形状と同様な形状とするため、前記断熱シートと前記耐候性シートとが貼付されている前記板材をその長手方向に沿う折り線にて折曲する工程と、
を有する断熱屋根材の製造方法であって、
前記板材を折曲する工程にて、前記板材の両端側で前記板材と前記耐候性シートとが積層されている部分を前記板材の長手方向に沿う折り線にて折曲することで、隣り合う断熱屋根材を連結する際に、少なくとも一方の断熱屋根材の前記耐候性シートがその連結部分にて挟まれた状態になる連結部を形成するようにした。
【００１９】
かかる構成の製造方法によって製造された断熱屋根材であれば、折曲されて屋根材本体に成形された板材に貼付されている断熱シートは、表面に露出しないように耐候性シートによって被覆されており、その断熱シートは劣化し難いように保護されているので、耐候性に優れた屋根材として好適に使用することができる。
特に、隣り合う断熱屋根材を連結する場合、断熱屋根材の連結部分に耐候性シートの端部が挟み込まれるようになるので、その耐候性シートは屋根材本体から剥がれ難くなる。このように屋根材本体から剥がれ難い耐候性シートであれば、好適に断熱シートを被覆して保護することができる。
【００２０】
また、望ましくは、
前記断熱シートと前記耐候性シートにはそれぞれ、その長手方向と交差する向きの筋状に形成されている、他の部分よりも強度が弱い脆弱部が、シートの長手方向に所定間隔をあけて複数設けられており、
前記耐候性シートを貼付する工程においては、前記断熱シートの脆弱部に前記耐候性シートの脆弱部を重ねるように、前記耐候性シートを前記断熱シートに重ねて前記板材に貼付するようにする。
【００２１】
断熱シートの脆弱部に耐候性シートの脆弱部を重ねるように、耐候性シートを断熱シートに重ねて板材に貼付して製造された断熱屋根材であれば、屋根材本体に成形された板材から断熱シートと耐候性シートとが剥がれてしまうことがあっても、断熱シートと耐候性シートがそれぞれ脆弱部で破断されることで、断熱シートや耐候性シートが長い状態で垂れ下がることがないので、金属屋根の下の通行などに支障をきたすことはない。
【発明の効果】
【００２２】
本発明によれば、耐候性に優れた断熱屋根材が得られる。
【図面の簡単な説明】
【００２３】
【図１】本実施形態の断熱屋根材を製造する手順に関する説明図（ａ）（ｂ）（ｃ）である。
【図２】重ね式の断熱屋根材の断面図である。
【図３】重ね式の断熱屋根材を連結してなる金属屋根の一例を示す断面図である。
【図４】ハゼ式の断熱屋根材を連結してなる金属屋根の一例を示す断面図である。
【図５】篏合式の断熱屋根材を連結してなる金属屋根の一例を示す断面図である。
【図６】断熱屋根材を製造する手順の変形例に関する説明図（ａ）（ｂ）（ｃ）である。
【図７】重ね式の断熱屋根材を製造する手順の変形例に関する説明図である。
【図８】重ね式の断熱屋根材による金属屋根の一例（ａ）と、ハゼ式の断熱屋根材による金属屋根の一例（ｂ）と、篏合式の断熱屋根材による金属屋根の一例（ｃ）とを示す断面図である。
【発明を実施するための形態】
【００２４】
以下、図面を参照して、本発明に係る断熱屋根材及び断熱屋根材の製造方法の実施形態について詳細に説明する。但し、以下に述べる実施形態には、本発明を実施するために技術的に好ましい種々の限定が付されているが、本発明の範囲を以下の実施形態及び図示例に限定するものではない。
本実施形態の断熱屋根材は、折板と称される屋根材に、結露防止のための断熱シートが配設されたものである。
【００２５】
本実施形態の断熱屋根材１００は、例えば、図１（ａ）（ｂ）（ｃ）、図２に示すように、長尺な矩形状の板材１０ａがその長手方向に沿う折り線にて折曲されてなる屋根材本体１０と、板材１０ａよりも小さなサイズの長尺な矩形状を呈し、その周縁を屋根材本体１０の周縁よりも内側に配するように屋根材本体１０に貼付されている断熱シート２０と、断熱シート２０よりも大きなサイズの長尺な矩形状を呈し、その周縁を断熱シート２０の周縁よりも外側に配するように断熱シート２０に重ねて屋根材本体１０に貼付されている耐候性シート３０と、を備えている。
【００２６】
屋根材本体１０は、鋼板など金属製の板材１０ａが、所定の折板形状に成型加工された板状部材である。
断熱シート２０は、断熱性を有するシート材であり、例えば、ウレタンフォームやグラスウールなどの断熱材を適度な厚み（例えば、４ｍｍ〜３０ｍｍ）を有するシート状に成形したものである。
耐候性シート３０は、太陽光（紫外線）、風雨、温度変化などに対し、変質し難い材料からなるフィルム状のシート材である。
なお、断熱屋根材１００の設置箇所の建築基準などに応じて、断熱シート２０や耐候性シート３０の材料を適宜選択し、必要に応じて耐火性や難燃性を有する材料を用いるようにする。
【００２７】
この断熱屋根材１００において、屋根材本体１０に貼付されている断熱シート２０は、耐候性シート３０によって被覆されて保護されている。
つまり、断熱屋根材１００の断熱シート２０は、その全面が耐候性シート３０に覆われており、屋根材の表面に露出していないので、劣化し難くなっている。
【００２８】
また、断熱シート２０には、その長手方向と交差する向きの筋状に形成されている、他の部分よりも強度が弱い脆弱部２１が、シートの長手方向に所定間隔をあけて複数設けられている。この断熱シート２０の脆弱部２１は、断熱シート２０の幅と同じ長さを有している。
また、耐候性シート３０には、その長手方向と交差する向きの筋状に形成されている、他の部分よりも強度が弱い脆弱部３１が、シートの長手方向に所定間隔をあけて複数設けられている。
特に、耐候性シート３０の脆弱部３１は、断熱シート２０の脆弱部２１と重なる位置に設けられている。つまり、断熱シート２０の脆弱部２１の間隔と、耐候性シート３０の脆弱部３１の間隔は、同じ寸法に形成されている。なお、それぞれのシートにおける脆弱部２１，３１の間隔は、例えば、２０ｃｍから１００ｃｍであるのが好ましい。
また、本実施形態における耐候性シート３０の脆弱部３１は、断熱シート２０の幅に対応する長さを有しており、この脆弱部３１は断熱シート２０の脆弱部２１と略同じ長さを有している。つまり、耐候性シート３０の両端部には脆弱部３１が設けられておらず、耐候性シート３０の脆弱部３１は、耐候性シート３０の幅よりも短く形成されている。
【００２９】
断熱シート２０の脆弱部２１は、例えば、ミシン目やスリット（切れ目）、他の部分よりも厚みが薄く形成された筋目などであり、その脆弱部２１に沿って断熱シート２０が分断され易くなっている。
耐候性シート３０の脆弱部３１も同様に、ミシン目やスリット（切れ目）、他の部分よりも厚みが薄く形成された筋目などであり、その脆弱部３１に沿って耐候性シート３０が分断され易くなっている。
なお、耐候性シート３０の脆弱部３１は筋目であることが好ましい。耐候性シート３０の脆弱部３１が筋目であれば、より好適に密閉した状態で断熱シート２０を被覆することができる。
【００３０】
また、断熱屋根材１００の両端部には、隣り合う断熱屋根材１００同士を連結するための連結部１３が設けられている。
この連結部１３は、屋根材本体１０と耐候性シート３０とが積層されている部分が板材１０ａの長手方向に沿う折り線にて折曲されて形成されている。
【００３１】
次に、この断熱屋根材１００を製造する手順について説明する。
【００３２】
まず、図１（ａ）に示すように、接着剤を用いて板材１０ａに断熱シート２０を貼付する。
このとき、長尺な矩形状の板材１０ａよりも小さなサイズの長尺な矩形状の断熱シート２０の周縁を板材１０ａの周縁よりも内側に配するように、板材１０ａに断熱シート２０を貼付する。
【００３３】
次いで、図１（ｂ）に示すように、断熱シート２０よりも大きなサイズの長尺な矩形状の耐候性シート３０の周縁を、断熱シート２０の周縁よりも外側に配するように、接着剤を用いて耐候性シート３０を断熱シート２０に重ねて板材１０ａに貼付する。
このとき、断熱シート２０の脆弱部２１に耐候性シート３０の脆弱部３１を重ねるように、耐候性シート３０を断熱シート２０に位置合わせして板材１０ａに貼付する。
こうして、断熱シート２０は、板材１０ａと耐候性シート３０とに挟まれて密封された状態になる。
【００３４】
次いで、図１（ｃ）に示すように、所望する断熱屋根材の形状と同様の形状とするため、断熱シート２０と耐候性シート３０とが貼付されている板材１０ａをその長手方向に沿う折り線にて折曲するようにプレス加工などを施し、板材１０ａを所定の折板形状の屋根材本体１０に変形して断熱屋根材１００を形成する。
特に、板材１０ａを折曲する工程にて、板材１０ａの両端側で板材１０ａと耐候性シート３０とが積層されている部分を板材１０ａの長手方向に沿う折り線にて折曲することで、隣り合う断熱屋根材１００同士を連結するための連結部１３を形成する。
ここでは、図２に示すように、重ね式折板の形状を有する断熱屋根材１００を形成している。
このように、板材１０ａに断熱シート２０と耐候性シート３０を貼付した後にプレス加工などを施すことで、断熱屋根材１００を製造することができる。
【００３５】
このように製造された重ね式の断熱屋根材１００であれば、例えば、図３に示すように、隣り合う断熱屋根材１００の連結部１３を重ね、その重ね合わせた連結部１３同士をボルトやナットなどの締結具Ｂで締結することで、複数の断熱屋根材１００を連結してなる金属屋根を構築することができる。
なお、金属屋根とする断熱屋根材１００は、例えば、建屋の梁に固定されているタイトフレームなどに対して固定される。
【００３６】
特に、隣り合う断熱屋根材１００を連結する場合、少なくとも一方の断熱屋根材１００の連結部１３における耐候性シート３０が他方の断熱屋根材１００の連結部１３との間に挟まれた状態で、互いの連結部１３が連結されるようになっている。
断熱屋根材１００の連結部分に耐候性シート３０の端部が挟み込まれていることで、その耐候性シート３０は屋根材本体１０から剥がれ難くなっている。つまり、屋根材本体１０から剥がれ難い耐候性シート３０であれば、好適に断熱シート２０を被覆して保護することができる。
【００３７】
また、断熱屋根材１００の連結部１３には、厚みを有する断熱シート２０が配されていないので、断熱屋根材１００の連結部分に耐候性シート３０を挟み込んだ状態を維持し易くなっている。
例えば、連結部１３に厚みを有する断熱シート２０が配されていて、断熱屋根材１００の連結部分に断熱シート２０が挟み込まれていると、断熱シート２０の弾力性が失われるなどして肉痩せした場合に、断熱屋根材１００の連結部分に隙間ができることがあるので好ましくない。
【００３８】
このように、本実施形態の断熱屋根材１００において、屋根材本体１０に貼付されている断熱シート２０は、耐候性シート３０によって被覆されて保護されているとともに、その耐候性シート３０の端部は断熱屋根材１００の連結部分に挟み込まれていて屋根材本体１０から剥がれ難くなっている。
このような断熱屋根材１００であれば、耐候性シート３０によって被覆されている断熱シート２０は劣化し難いように保護されているので、耐候性に優れた屋根材として好適に使用することができる。
【００３９】
特に、金属屋根として長期間に亘って使用した断熱屋根材１００において接着剤が劣化したり、金属屋根が強風に晒されたりするなどして、断熱シート２０が屋根材本体１０から部分的に剥がれてしまうことがあっても、脆弱部２１で断熱シート２０が破断されるようにして、その断熱シート２０の剥がれが断熱屋根材１００（屋根材本体１０）の長手方向に伝播しないようになっている。
つまり、部分的に断熱シート２０が屋根材本体１０から剥がれた場合、断熱シート２０が脆弱部２１で破断されることで、それ以上断熱シート２０が剥がれてしまわないように食い止めることができ、その全長に亘って断熱シート２０が剥がれてしまうようなことはない。
【００４０】
また、断熱シート２０と耐候性シート３０とが屋根材本体１０から剥がれてしまうことがあっても、脆弱部２１で断熱シート２０が破断され、脆弱部３１で耐候性シート３０が破断されることで、断熱シート２０や耐候性シート３０が長い状態で垂れ下がることがないので、金属屋根の下の通行などに支障をきたすことはない。
【００４１】
以上のように、本実施形態の断熱屋根材１００は、耐候性に優れるとともに、断熱シート２０に部分的な剥がれが生じても、断熱シート２０が脆弱部２１で破断されるので、その断熱シート２０の剥がれを最小限に食い止めることができる。
【００４２】
なお、図３では、重ね式の断熱屋根材１００を連結してなる金属屋根を例示したが、板材１０ａに断熱シート２０と耐候性シート３０を貼付した後にプレス加工などを施すことで、ハゼ式の断熱屋根材１００や、篏合式の断熱屋根材１００を製造することもできる。
【００４３】
例えば、図４に示すように、ハゼ式折板の形状を有する断熱屋根材１００を形成した場合、隣り合う断熱屋根材１００の連結部１３同士を接合して、複数の断熱屋根材１００を連結してなる金属屋根を構築することができる。
このハゼ式の断熱屋根材１００であっても、断熱屋根材１００の連結部分に耐候性シート３０の端部が挟み込まれていることで、耐候性シート３０が屋根材本体１０から剥がれ難くなっている。
【００４４】
また、例えば、図５に示すように、篏合式折板の形状を有する断熱屋根材１００を形成した場合、隣り合う断熱屋根材１００の連結部１３同士を所定の連結部材６０を介して接合し、複数の断熱屋根材１００を連結してなる金属屋根を構築することができる。
具体的には、一方の断熱屋根材１００の連結部１３における耐候性シート３０と、他方の断熱屋根材１００の連結部１３における耐候性シート３０が、所定の連結部材６０やキャップＣとの間に挟まれた状態で、その連結部材６０やキャップＣを介して互いの連結部１３を連結するようにして、隣り合う断熱屋根材１００が連結されている。
連結部材６０は、鋼板などからなる連結板材１５に断熱シート２０と耐候性シート３０を貼付して形成した部材である。
この篏合式の断熱屋根材１００であっても、断熱屋根材１００の連結部分に耐候性シート３０の端部が挟み込まれていることで、耐候性シート３０が屋根材本体１０から剥がれ難くなっている。
【００４５】
なお、ハゼ式の断熱屋根材１００と、篏合式の断熱屋根材１００の場合、その断熱屋根材１００に貼付されている耐候性シート３０の脆弱部３１の長さは、耐候性シート３０の全幅に相当する長さであってよい。
ハゼ式の断熱屋根材１００と篏合式の断熱屋根材１００であれば、断熱屋根材１００の連結部分に耐候性シート３０の全長に亘ってその端部が挟み込まれているため、耐候性シート３０の端部の脆弱部３１の端から耐候性シート３０に亀裂が生じ難くなっているので、脆弱部３１はその耐候性シート３０の幅に対応する長さを有していてもよい。
これに対し、重ね式の断熱屋根材１００の場合、断熱屋根材１００の連結部分において耐候性シート３０の端部が締結具Ｂによって押さえられている部分があるので、耐候性シート３０の端部にまで脆弱部３１の端が達していないことが好ましく、その耐候性シート３０の脆弱部３１は、耐候性シート３０の幅よりも短く形成されているようにする。
【００４６】
なお、本発明は上記実施形態に限られるものではない。
例えば、図６（ａ）（ｂ）（ｃ）、図７に示すように、金属屋根として構築されている既存の屋根材本体１０（折板）に断熱シート２０と耐候性シート３０を貼付して断熱屋根材１００を形成してもよい。
具体的には、図６（ａ）に示すように、接着剤を用いて、長尺な剥離紙Ｐに長尺な矩形状の断熱シート２０を貼付する。なお、剥離紙Ｐには、ミシン目などの切断線Ｌが設けられている。
次いで、図６（ｂ）に示すように、断熱シート２０よりも大きなサイズの長尺な矩形状の耐候性シート３０の周縁を、断熱シート２０の周縁よりも外側に配するように、接着剤を用いて耐候性シート３０を断熱シート２０に重ねて剥離紙Ｐに貼付する。
このとき、断熱シート２０の脆弱部２１に耐候性シート３０の脆弱部３１を重ねるように、耐候性シート３０を断熱シート２０に位置合わせして剥離紙Ｐに貼付する。
次いで、図６（ｃ）、図７に示すように、剥離紙Ｐを取り除いた後、断熱シート２０及び耐候性シート３０を既存の屋根材本体１０に貼付して断熱屋根材１００を形成する。
なお、断熱シート２０及び耐候性シート３０を屋根材本体１０に貼付し易いように、切断線Ｌに沿って剥離紙Ｐを切断して部分的に剥離紙Ｐを取り除きながら、断熱シート２０及び耐候性シート３０を屋根材本体１０に貼付することが好ましい。
【００４７】
ここでは、図６（ｃ）、図７に示すように、重ね式折板の形状を有する屋根材本体１０に断熱シート２０及び耐候性シート３０を貼付して断熱屋根材１００を形成している。
具体的には、図８（ａ）に示すように、重ね式の屋根材本体１０に断熱シート２０及び耐候性シート３０を貼付する場合、一旦締結具Ｂを外し、屋根材本体１０の連結部分に耐候性シート３０の縁を貼付した後、締結具Ｂを取り付け直すようにする。
【００４８】
また、図８（ｂ）に示すように、ハゼ式の屋根材本体１０に断熱シート２０及び耐候性シート３０を貼付する場合、屋根材本体１０の連結部分の近傍に耐候性シート３０の縁を貼付するようにし、その耐候性シート３０の縁をリベットＲで屋根材本体１０に留めつけて剥離防止を図るようにする。
【００４９】
また、図８（ｃ）に示すように、鋼板製の連結部材５０とキャップＣを介して連結されている篏合式の屋根材本体１０に断熱シート２０及び耐候性シート３０を貼付する場合、屋根材本体１０の連結部分の近傍に耐候性シート３０の縁を貼付するようにし、その耐候性シート３０の縁をリベットＲで屋根材本体１０に留めつけて剥離防止を図るようにする。なお、連結部材５０にも断熱シート２０及び耐候性シート３０を貼付し、その耐候性シート３０の縁もリベットＲにて屋根材本体１０に留めつけることが好ましい。
【００５０】
このように形成した断熱屋根材１００であっても、図８（ａ）（ｂ）（ｃ）に示すように、断熱シート２０は耐候性シート３０によって被覆されており、劣化し難いように保護されているので、耐候性に優れた屋根材とすることができる。
【００５１】
ところで、断熱屋根材１００の連結部分などに不具合がある場合、例えば、締結具ＢやリベットＲを取り付けるために開けた孔に不具合がある場合、その部分から浸入した雨水が耐候性シート３０の内側に溜まってしまうことがある。また、溜まった雨水の重みにより耐候性シート３０が剥がれてしまうおそれがある。
その対策として、耐候性シート３０の脆弱部３１をスリット（切れ目）に形成しておけば、万が一、雨水が耐候性シート３０の内側に浸入してしまうことがあっても、そのスリットから排水されるようになるので、耐候性シート３０の内側に雨水が溜まってしまうことを防ぐことができる。
また、耐候性シート３０の脆弱部３１（スリット）から雨水が染み出ている場合、断熱屋根材１００に何らかの不具合があることがわかるので、雨漏りが生じた断熱屋根材１００の点検を行い、例えば、締結具ＢやリベットＲの取り付け部分に止水処理を施すなど、早期に対応することが可能になる。
【００５２】
なお、本発明の適用は上述した実施形態に限定されることなく、本発明の趣旨を逸脱しない範囲で適宜変更可能である。
【符号の説明】
【００５３】
１０    屋根材本体
１０ａ  板材
２０    断熱シート
２１    脆弱部
３０    耐候性シート
３１    脆弱部
１３    連結部
１５    連結板材
５０    連結部材
６０    連結部材
１００  断熱屋根材
Ｂ      締結具
Ｃ      キャップ（連結部材）
Ｐ      剥離紙
Ｌ      切断線
Ｒ      リベット
【図１】
2020100971.tif 000003
【図２】
2020100971.tif 000004
【図３】
2020100971.tif 000005
【図４】
2020100971.tif 000006
【図５】
2020100971.tif 000007
【図６】
2020100971.tif 000008
【図７】
2020100971.tif 000009
【図８】
2020100971.tif 000010